(57)【要約】      （修正有）【課題】複数台で設置する空調機器において、例えば室外機と室内機との間で接続するそれぞれの冷媒用被覆配管材相互を異なる色彩に着色しておくことで相互に識別可能にし、設置時においても後日の保守、点検等のメンテナンス時においても、誤配管を防止し、施工時間を短縮し、施工管理を容易に行える空調機器における冷媒用被覆配管材を提供する。【解決手段】室外機Ｍ１と室内機Ｍ２との間で接続している冷媒管１を断熱材２によって被覆して冷媒用被覆管材とし、断熱材２の外周表面には相互に識別可能にした着色を施す。断熱材２の外周表面の識別色は、例えば赤色、青色、緑色、黄色、黒色、白色のいずれかであったり、これらの色彩を連続して組合せたりする。【選択図】図１
0003211182.tif 000002
【実用新案登録請求の範囲】
【請求項１】
室外機と室内機との間で接続されている冷媒管を断熱材によって被覆して成る冷媒用被覆管材において、断熱材の外周表面には相互に識別可能にした着色が施されていることを特徴とする空調機器における冷媒用被覆配管材。
【請求項２】
断熱材の外周表面の識別色は、赤色、青色、緑色、黄色、黒色、白色のいずれかである請求項１に記載の空調機器における冷媒用被覆配管材。
【請求項３】
断熱材の外周表面の識別色は、赤色、青色、緑色、黄色、黒色、白色の色彩を連続して組合せて成る請求項１または２に記載の空調機器における冷媒用被覆配管材。
【考案の詳細な説明】
【技術分野】
【０００１】
この考案は、例えば複数台で設置される暖冷房機器の如き空調機器における例えば室外機と室内機との間を接続し、冷媒を循環・供給している冷媒用被覆配管材において、これが複数で纏めて配管、敷設される場合、それらを互いに識別できるようにした空調機器における冷媒用被覆配管材に関する。
【背景技術】
【０００２】
従来から、ビル、工場その他において設置される各種の空調機器において、それらは複数台で設置される場合でも、例えば組合せ接続される特定の室外機と室内機との相互がそれぞれで個別に対応するように各別の系統毎に冷媒用被覆配管材によって接続されている。また、空調機器による冷媒循環系統が複数で設置される場合では、その複数の冷媒循環系統を構成する冷媒用被覆配管材が纏められた状態で敷設されることもある。
【０００３】
複数本で纏められる場合、順次に並べてあるいは積み重ねられていると、例えば設置後の保守、点検その他に際し、特定の室外機と室内機とを接続している冷媒用被覆配管材自体を確認するには、室外機と室内機との間でそれらを１本ずつ検査し、探る必要があり、極めて面倒である。
【０００４】
また、ビル、工場その他で多数にして設置されている場合に限らず、例えば一般家屋、あるいはマンションその他の居住用施設であっても、近時は複数台の空調機器を設置していることが多いから、同様な問題が生じる。
【０００５】
これらを解消すべく、例えば複数で配管される冷媒用被覆配管材毎に目印を付すことが可能であるも、特定の相互に接続される室外機と室内機との間の配管材が比較的に長い距離で配管される場合にはその途中の所定箇所毎に種々の目印を付す必要がある。ただ、これらの目印を所定間隔毎に付すことは極めて面倒であり、目印を付したとしても、長期にわたると消失したり、紛失したりすることもある。
【０００６】
一方、空調装置等の配管用防水仕上げ材に係る特許文献１に示されているように、配管を被覆する金属箔表面に着色合成樹脂塗料膜を設けることとしたり、また管類、線類等の結束保護カバー具に係る特許文献２に示されているように、包覆材の表裏両面に着色を施すこととしたりするものがある。
【先行技術文献】
【特許文献】
【０００７】
【特許文献１】実開昭６３−１８１７５２号公報
【特許文献２】登録実用新案第３２０８１９８号公報
【考案の概要】
【考案が解決しようとする課題】
【０００８】
ところがこれらの特許文献１，２に示された配管を覆う部材の着色形態は、配管を敷設する屋内の配色等にマッチするように予め着色しておくことで再度の塗装の手間を省くものとしたり、配管、配線される箇所の周囲との色彩的調和を図るものとしたりしているにすぎない。
【０００９】
そこでこの考案は叙上のような従来存した諸事情に鑑み案出されたもので、その目的は複数台で設置される空調機器において、例えば室外機と室内機との間で接続されるそれぞれの冷媒用被覆配管材相互を異なる色彩に着色しておくことで相互に識別可能にし、設置時においても後日の保守、点検等のメンテナンス時においても、誤配管を防止し、施工時間を短縮し、施工管理を容易に行える等にした空調機器における冷媒用被覆配管材を提供することにある。
【課題を解決するための手段】
【００１０】
上述した課題を解決するため、この考案にあっては、室外機Ｍ１と室内機Ｍ２との間で接続されている冷媒管１を断熱材２によって被覆して成る冷媒用被覆管材において、断熱材２の外周表面には相互に識別可能にした着色が施されていることを特徴とする。
断熱材２の外周表面の識別色は、赤色、青色、緑色、黄色、黒色、白色のいずれかであったり、これらの色彩を連続して組合せたりして構成することができる。
【００１１】
以上のように構成されたこの考案に係る空調機器における冷媒用被覆配管材にあって、冷媒管１を覆う断熱材２の外周表面が相互に識別可能な着色が施されていることで、例えば纏められ、集束された状態で配管されていても、特定の室外機Ｍ１、室内機Ｍ２との間を接続している冷媒循環系統のそれぞれを識別させる。
断熱材２の外周表面の赤色、青色、緑色、黄色、黒色、白色の識別色は、これらの色彩による識別色が施された配管材が纏められて組み合わせられ、隣接していても相互間で際立たせていることで容易に識別させる。
【考案の効果】
【００１２】
この考案は以上説明したように構成されているため、例えば複数台で設置接続される室外機Ｍ１、室内機Ｍ２相互間の断熱材２にて覆われた冷媒管１は、断熱材２の外周表面に施された着色によって、冷媒管１が纏められた状態で配管されていても、相互間では容易に識別でき、例えば施工時の誤配管の防止、保守・管理時における各種メンテナンスも容易に実施できる。
【００１３】
すなわち、これはこの考案において、空調機器における室外機Ｍ１と室内機Ｍ２との間で接続されている冷媒管１を被覆している断熱材２の外周表面には、相互に識別可能にした着色が施されているからであり、これによって、複数で例えば纏めて配管設置されることがあっても冷媒循環系統相互の識別を可能にしている。
【００１４】
また、断熱材２の外周表面は、赤色、青色、緑色、黄色、黒色、白色のいずれかであるとすることで、例えばこれらの色彩による配管材が隣接されていても、相互間では際立って識別でき、配管現場で混乱を生じることもない。
【００１５】
更には断熱材２の外周表面の色彩を、赤色、青色、緑色、黄色、黒色、白色等の連続した組合せによる、例えば各種模様等とすることで、単一色彩による識別数に比し識別数を飛躍的に増大でき、多数で纏められる各別の冷媒循環系統であってもこれらを容易に識別可能にさせる。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す概略一部切欠斜視図である。
【図２】（ａ）、（ｂ）はいずれも施工事例における一部切欠斜視図である。
【図３】同じく断面図である。
【考案を実施するための形態】
【００１８】
以下、図面を参照してこの考案を実施するための一形態を説明すると、図において示される符号１は冷媒用の所定径の例えば銅製の冷媒管であり、室外機Ｍ１と室内機Ｍ２との間で冷媒を循環させるように接続されていて、継目無態様として形成されている。
【００１９】
この冷媒管１は、例えば二重構造で形成されている断熱材２によって被覆されていて、この断熱材２は、内側の内断熱層３と外側の外断熱層４とから成り、内断熱層３は例えば架橋３０倍発泡ポリエチレン製のＪＩＳ−Ａ−９５１１（Ａ−ＰＥ−Ｃ−Ｐ２）準拠品としてあり、外断熱層４は例えば架橋３０倍発泡ポリエチレン製のＪＩＳ−Ａ−９５１１（Ａ−ＰＥ−Ｃ−Ｐ１）準拠品としてある。もとより、冷媒管１内の冷媒を周囲の温度環境によって影響されないようにしていれば良く、これらの例示の保温・断熱材に限定されないのは勿論である。
【００２０】
また、断熱材２の外周面は、例えばエンボス処理がなされた表皮材５によって被覆されており、この表皮材５には、互いに識別されるように異なる着色が施されている。例えば、赤色、青色、緑色、黄色、黒色、白色その他の色等であり、必要に応じてこれらの単一着色とせずに複数色が組み合わせられた適宜な縞模様とすることも可能である。更には連続的に配色・彩色される幾何学的・具象的模様としたり、適宜に彩色された文字・図形・記号等が連続して表示されたりしてあっても良い。
【００２１】
いずれにしても、複数で纏められて並列されたり、積み重ねられたりしたそれぞれのこの考案に係る配管材が相互に識別されるように着色されていれば足り、特に単一色で着色されていることで互いに見分けられてそれらの識別が容易となり、施工時の誤配管防止、施工時間の短縮等が図られ、保守・点検時の管理も容易となる。
【００２２】
また、黒色とすることで冷媒管１に対する保温、断熱性を一層向上でき、しかも建築デザインとの融和性を実現できる利点もある。
【００２３】
次にこれの使用の一例を説明すると、例えば室外機Ｍ１と室内機Ｍ２との間で冷媒を循環させるように、室外機Ｍ１と室内機Ｍ２とを冷媒管１によって接続するのであり、そのときの冷媒循環系統が複数である場合には、それぞれの冷媒循環系統の相違に対応して色彩が異なっている複数の配管材によってそれぞれ連繋・接続する。複数の冷媒循環系統が例えば並列状態で纏められていても、色彩が異なる配管材としてあることで、特定の室外機Ｍ１と室内機Ｍ２とが離れていてもそれぞれの冷媒循環系統を識別でき、誤配管を防止し、配管施工作業を迅速に遂行できる。
【符号の説明】
【００２４】
Ｍ１…室外機                            Ｍ２…室内機
１…冷媒管                              ２…断熱材
３…内断熱層                            ４…外断熱層
５…表皮材
【図１】
0003211182.tif 000003
【図２】
0003211182.tif 000004
【図３】
0003211182.tif 000005
【手続補正書】
【提出日】平成29年4月26日(2017.4.26)
【手続補正１】
【補正対象書類名】実用新案登録請求の範囲
【補正対象項目名】全文
【補正方法】変更
【補正の内容】
【実用新案登録請求の範囲】
【請求項１】
室外機と室内機との間で接続されている冷媒管を断熱材によって被覆して成る冷媒用被覆配管材において、断熱材の外周表面には相互に識別可能にした着色が施されていることを特徴とする空調機器における冷媒用被覆配管材。
【請求項２】
断熱材の外周表面の識別色は、赤色、青色、緑色、黄色、黒色、白色のいずれかである請求項１に記載の空調機器における冷媒用被覆配管材。
【請求項３】
断熱材の外周表面の識別色は、赤色、青色、緑色、黄色、黒色、白色の色彩あるいはこれらのいずれかの色彩を連続して組合せて成る請求項１または２に記載の空調機器における冷媒用被覆配管材。
【手続補正２】
【補正対象書類名】明細書
【補正対象項目名】００１０
【補正方法】変更
【補正の内容】
【００１０】
上述した課題を解決するため、この考案にあっては、室外機Ｍ１と室内機Ｍ２との間で接続されている冷媒管１を断熱材２によって被覆して成る冷媒用被覆配管材において、断熱材２の外周表面には相互に識別可能にした着色が施されていることを特徴とする。
断熱材２の外周表面の識別色は、赤色、青色、緑色、黄色、黒色、白色のいずれかであったり、これらの色彩あるいはこれらのいずれかの色彩を連続して組合せたりして構成することができる。